(57)【要約】【課題】  オンデマンド型コンテンツの視聴開始前に利用者の嗜好に合致した放送型コンテンツの放送時間との重複を通知する。【解決手段】  オンデマンド型サービスと放送型サービスの双方を受信再生可能なシステムにおいて、放送型コンテンツの放送番組表を放送番組表格納手段２０５で管理し、利用者の好むコンテンツの特性情報を含む利用者嗜好情報を利用者嗜好記憶手段２０８で管理しておき、利用者によりオンデマンド型コンテンツの選択指示がなされ、コンテンツ時間重複判定手段２１２によって当該オンデマンド型コンテンツのコンテンツ長を経過した時刻までに利用者嗜好に合致した放送型コンテンツの放送開始が検出された場合に、制御手段２１３によって当該放送型コンテンツの放送番組表情報を含むコンテンツ時間重複通知画面を生成し、画面表示によって利用者に通知する。【選択図】  図２
2006303990.tif 000002
【特許請求の範囲】
【請求項１】
所望のコンテンツを視聴可能とするオンデマンド型サービスとコンテンツを所定の時刻に配信する放送型サービスとを利用可能なコンテンツ受信再生装置であって、
前記オンデマンド型サービスで提供されるコンテンツについて少なくともコンテンツ識別情報とコンテンツの特性を示す特性情報とコンテンツの長さ情報とを含むオンデマンドコンテンツ情報を格納するオンデマンドコンテンツ情報格納手段と、
前記オンデマンドコンテンツ情報に基づき、利用可能なオンデマンド型コンテンツを参照し選択可能とするオンデマンドコンテンツ選択画面を生成するオンデマンドコンテンツ選択画面生成手段と、
選択された前記オンデマンド型コンテンツを取得して再生を行うオンデマンドコンテンツ再生手段と、
前記放送型サービスで提供されるコンテンツについて少なくともコンテンツ識別情報とコンテンツの特性を示す特性情報とコンテンツの放送開始時間と放送終了時間を示す放送時間帯情報とを含む放送番組表情報を格納する放送番組表格納手段と、
前記放送番組表情報に基づき、利用者が利用可能な放送型コンテンツを参照し選択可能とする番組表画面を生成する番組表画面生成手段と、
前記放送型コンテンツの選局及び再生を行う放送コンテンツ選局再生手段と、
利用者の好むコンテンツの特性情報を利用者嗜好情報として記憶する利用者嗜好記憶手段と、
前記オンデマンドコンテンツ情報と前記放送番組表情報とに基づき、指定されたオンデマンド型コンテンツのコンテンツ長を経過した時刻までに利用者嗜好に合致した放送型コンテンツの放送が開始されるかどうかを判定するコンテンツ時間重複判定手段と、
利用者によりオンデマンド型コンテンツの選択指示がなされ、前記コンテンツ時間重複判定手段によって当該オンデマンド型コンテンツのコンテンツ長を経過した時刻までに利用者嗜好に合致した放送型コンテンツの放送開始が検出された場合に、当該放送型コンテンツの放送番組表情報を含むコンテンツ時間重複通知画面を生成するコンテンツ時間重複通知画面生成手段と、
前記コンテンツ時間重複通知画面を表示する表示手段と、
を備えるコンテンツ受信再生装置。
【請求項２】
請求項１に記載のコンテンツ受信再生装置であって、
前記コンテンツ時間重複判定手段は、前記オンデマンドコンテンツ情報と前記放送番組表情報とに基づき、指定されたオンデマンド型コンテンツのコンテンツ長とあらかじめ設定された猶予時間との合計時間を経過した時刻までに利用者嗜好に合致した放送型コンテンツの放送が開始されるかどうかを判定するコンテンツ受信再生装置。
【請求項３】
請求項１または２に記載のコンテンツ受信再生装置であって、
前記表示手段は、前記オンデマンド型コンテンツ及び前記放送型コンテンツの表示再生を行うとともに、前記コンテンツ時間重複通知画面、前記オンデマンドコンテンツ選択画面および前記番組表画面を表示するコンテンツ受信再生装置。
【請求項４】
所望のコンテンツを視聴可能とするオンデマンド型サービスとコンテンツを所定の時刻に配信する放送型サービスとを利用可能なコンテンツ受信再生装置であって、
前記オンデマンド型サービスで提供されるコンテンツについて少なくともコンテンツ識別情報とコンテンツの特性を示す特性情報とコンテンツの長さ情報とコンテンツの提供期限日時情報とを含むオンデマンドコンテンツ情報を格納するオンデマンドコンテンツ情報格納手段と、
前記オンデマンドコンテンツ情報に基づき、利用者が利用可能なオンデマンド型コンテンツを参照し選択可能とするオンデマンドコンテンツ選択画面を生成するオンデマンドコンテンツ選択画面生成手段と、
選択された前記オンデマンド型コンテンツを取得して再生を行うオンデマンドコンテンツ再生手段と、
前記放送型サービスで提供されるコンテンツについて少なくともコンテンツ識別情報とコンテンツの特性を示す特性情報とコンテンツの放送開始時間と放送終了時間を示す放送時間帯情報とを含む放送番組表情報を格納する放送番組表格納手段と、
前記放送番組表情報に基づき、利用者が利用可能な放送型コンテンツを参照し選択可能とする番組表画面を生成する番組表画面生成手段と、
前記放送型コンテンツの選局及び再生を行う放送コンテンツ選局再生手段と、
利用者の好むコンテンツの特性情報を利用者嗜好情報として記憶する利用者嗜好記憶手段と、
定期的に前記オンデマンドコンテンツ情報を参照し、利用者の嗜好に合致したオンデマンド型コンテンツについて、前記オンデマンドコンテンツ情報を参照した時点からコンテンツ長を経過した時刻が当該コンテンツの提供期限日時の前でかつその時間差が所定の猶予時間以下であるかどうかを判定するコンテンツ利用可能時間判定手段と、
選択指示されていないオンデマンド型コンテンツについて、前記コンテンツ利用可能時間判定手段によって前記オンデマンドコンテンツ情報を参照した時点からそのコンテンツのコンテンツ長を経過した時刻がコンテンツの提供期限日時の前でかつその時間差が所定の猶予時間以下であるものが検出された場合に、該当するオンデマンドコンテンツ情報を含むサービス提供終了通知画面を生成するサービス提供終了通知画面生成手段と、
前記サービス提供終了通知画面を表示する表示手段と、
を備えるコンテンツ受信再生装置。
【請求項５】
請求項１または２に記載のコンテンツ受信再生装置であって、
前記オンデマンドコンテンツ情報は、さらにコンテンツの提供期限日時情報を含み、
定期的に前記オンデマンドコンテンツ情報を参照し、利用者の嗜好に合致したオンデマンド型コンテンツについて、前記オンデマンドコンテンツ情報を参照した時点からコンテンツ長を経過した時刻が当該コンテンツの提供期限日時の前でかつその時間差が所定の猶予時間以下であるかどうかを判定するコンテンツ利用可能時間判定手段と、
選択指示されていないオンデマンド型コンテンツについて、前記コンテンツ利用可能時間判定手段によって前記オンデマンドコンテンツ情報を参照した時点からそのコンテンツのコンテンツ長を経過した時刻がコンテンツの提供期限日時の前でかつその時間差が所定の猶予時間以下であるものが検出された場合に、該当するオンデマンドコンテンツ情報を含むサービス提供終了通知画面を生成するサービス提供終了通知画面生成手段とを備えるコンテンツ受信再生装置。
【請求項６】
請求項４または５に記載のコンテンツ受信再生装置であって、
前記表示手段は、前記オンデマンド型コンテンツ及び前記放送型コンテンツの表示再生を行うとともに、前記サービス提供終了通知画面、前記オンデマンドコンテンツ選択画面および前記番組表画面を表示するコンテンツ受信再生装置。
【請求項７】
請求項１から６のいずれかに記載のコンテンツ受信再生装置であって、
前記利用者嗜好記憶手段に記憶されている利用者の好むコンテンツの特性情報に合致したコンテンツに関する情報を、前記オンデマンドコンテンツ情報と前記放送番組表情報との双方から抽出して一覧表示するおすすめ一覧表示画面を生成するおすすめ一覧画面生成手段を備え、
前記表示手段は、前記おすすめ一覧表示画面を表示するものであり、
前記おすすめ一覧画面生成手段は、利用者により前記おすすめ一覧表示画面においてオンデマンド型コンテンツの選択指示がなされたとき、当該オンデマンド型コンテンツの再生時間と利用者嗜好に合致した放送型コンテンツの放送時間との時間重複が検出された場合に、前記おすすめ一覧画面上の該当する放送型コンテンツの番組表情報の表示を変更した画面を生成するコンテンツ受信再生装置。
【請求項８】
請求項１から７のいずれかに記載のコンテンツ受信再生装置と、放送型コンテンツを送出する放送番組送出装置と、前記放送型コンテンツに関する放送番組表情報を配信する放送番組表配信装置と、オンデマンド型コンテンツを送出するオンデマンドコンテンツ送出装置と、前記各装置間の情報伝送を行う通信網とを有するコンテンツ配信システムであって、
前記放送番組送出装置は、前記放送番組表情報に従って放送型コンテンツを送出する放送コンテンツ送出制御手段を備え、
前記放送番組表配信装置は、少なくとも現在の日時以降の放送番組表情報を配信する放送番組表配信制御手段を備え、
前記オンデマンドコンテンツ送出装置は、コンテンツ受信再生装置からの要求に応じてオンデマンド型コンテンツを要求元へ送出するオンデマンドコンテンツ送出制御手段と、前記オンデマンド型コンテンツに関するオンデマンドコンテンツ情報を要求元へ配信するオンデマンドコンテンツ情報配信手段とを備え、
前記コンテンツ受信再生装置は、前記放送番組表配信装置から放送番組表情報を取得し、前記放送番組送出装置が送出する放送型コンテンツを受信する放送型コンテンツ受信手段と、前記オンデマンドコンテンツ送出装置に対して取得要求を送信して、前記オンデマンドコンテンツ情報を取得し、前記オンデマンド型コンテンツを受信するオンデマンド型コンテンツ受信手段とを備えるコンテンツ配信システム。
【請求項９】
所望のコンテンツを視聴可能とするオンデマンド型サービスとコンテンツを所定の時刻に配信する放送型サービスとを行うコンテンツ配信システムにおけるコンテンツ情報通知方法であって、
前記オンデマンド型サービスで提供されるコンテンツについて少なくともコンテンツ識別情報とコンテンツの特性を示す特性情報とコンテンツの長さ情報とを含むオンデマンドコンテンツ情報をオンデマンドコンテンツ情報配信手段より取得し、このオンデマンドコンテンツ情報に基づき、表示手段に表示させる画面として、利用者が利用可能なオンデマンド型コンテンツを参照し選択可能とするオンデマンドコンテンツ選択画面を生成するオンデマンドコンテンツ選択画面生成ステップと、
前記放送型サービスで提供されるコンテンツについて少なくともコンテンツ識別情報とコンテンツの特性を示す特性情報とコンテンツの放送開始時間と放送終了時間を示す放送時間帯情報とを含む放送番組表情報を放送番組表配信手段より取得し、この放送番組表情報に基づき、表示手段に表示させる画面として、利用者が利用可能な放送型コンテンツを参照し選択可能とする番組表画面を生成する番組表画面生成ステップと、
利用者の好むコンテンツの特性情報を含む利用者嗜好情報を取得し、この利用者嗜好情報と前記オンデマンドコンテンツ情報と前記放送番組表情報とに基づき、指定されたオンデマンド型コンテンツのコンテンツ長を経過した時刻までに利用者嗜好に合致した放送型コンテンツの放送が開始されるかどうかを判定するコンテンツ時間重複判定ステップと、
利用者によりオンデマンド型コンテンツの選択指示がなされ、前記コンテンツ時間重複判定ステップにおいて当該オンデマンド型コンテンツのコンテンツ長を経過した時刻までに利用者嗜好に合致した放送型コンテンツの放送開始が検出された場合に、表示手段に表示させる画面として、当該放送型コンテンツの放送番組表情報を含むコンテンツ時間重複通知画面を生成するコンテンツ時間重複通知画面生成ステップと、
前記コンテンツ時間重複通知画面を表示して利用者に通知するコンテンツ時間重複通知ステップと、
を有するコンテンツ情報通知方法。
【請求項１０】
嗜好を格納する嗜好記憶手段と、
オンデマンド型コンテンツのコンテンツ長を格納するオンデマンドコンテンツ情報格納手段と、
放送型サービスで提供される放送型コンテンツの識別情報ならびに放送開始時間および放送終了時間で構成される番組データを格納する放送番組表格納手段と、
前記オンデマンドコンテンツ情報格納手段に格納されたオンデマンド型コンテンツの選択がなされた時、前記選択されたオンデマンド型コンテンツのコンテンツ長を経過した時刻までに前記嗜好に合致した放送型コンテンツの放送が開始されるかどうかを判定するコンテンツ時間重複判定手段と、
前記コンテンツ時間重複判定手段によって重複があると判定された場合に、重複のあったことを表示する表示手段とを備えるコンテンツ受信再生装置。
【発明の詳細な説明】
【技術分野】
【０００１】
本発明は、オンデマンド型コンテンツサービスと放送型コンテンツサービスの双方を利用者に提供するコンテンツ受信再生装置、コンテンツ配信システム、及びコンテンツ情報通知方法に関する。
【背景技術】
【０００２】
近年、インターネットの普及やブロードバンド通信環境の充実により、映像音声を利用者の要求に応じて配信するオンデマンド型のコンテンツサービスが増加してきている。これにともない、従来から存在するコンテンツをあらかじめ決められた予定通りの時刻に配信する放送型サービスとオンデマンド型のコンテンツサービスの両方を利用できる端末装置や端末装置を含めたシステムも存在している。利用可能なコンテンツには多種多様なものがあり、その中から利用者が好むコンテンツを極力見逃さないように利用者に情報を提供する方式も利用されている。特に放送型コンテンツはオンデマンド型コンテンツとは異なり、決まった時間にのみ放送されるため、一度見逃してしまうと視聴するのが困難となってしまうため、これを回避するための通知方式が存在する。
【０００３】
従来のコンテンツ時間重複通知方式は、図１７に示すような処理の流れで実現されており、あらかじめ利用者の嗜好などの情報が登録されているユーザかどうかを判定し（ステップ１７０１）、登録されているユーザであれば配信されているコンテンツ情報とユーザの登録情報とを比較し、合致するコンテンツであれば配信の直前に利用者に通知することにより、利用者が見逃してしまうことを回避している（例えば、特許文献１参照）。
【０００４】
【特許文献１】特開２００３−２５０１４５号公報
【発明の開示】
【発明が解決しようとする課題】
【０００５】
しかしながら、従来のコンテンツ時間重複通知方式においては、利用者が通知された放送型コンテンツを視聴するためには、それまで視聴していたコンテンツの視聴を中断する必要があり、特に有料のオンデマンド型コンテンツを視聴していた場合など、利用者に不都合となる可能性があった。また、オンデマンド型コンテンツにもサービスの提供に期限がある場合があり、この期限情報は通知されないため、オンデマンド型コンテンツサービスに利用者の嗜好に合致するコンテンツがあっても見逃してしまう可能性があった。
【０００６】
本発明は、上記事情に鑑みてなされたもので、利用者がコンテンツの視聴を中断すること無く放送型コンテンツを見逃さないようにすることが可能なコンテンツ受信再生装置、コンテンツ配信システム、及びコンテンツ情報通知方法を提供することを目的とする。
【０００７】
また、本発明は、オンデマンド型コンテンツについても利用者が見逃す可能性を低減させることが可能なコンテンツ受信再生装置、コンテンツ配信システム、及びコンテンツ情報通知方法を提供することを目的とする。
【課題を解決するための手段】
【０００８】
（１）本発明のコンテンツ受信再生装置は、所望のコンテンツを視聴可能とするオンデマンド型サービスとコンテンツを所定の時刻に配信する放送型サービスとを利用可能なコンテンツ受信再生装置であって、前記オンデマンド型サービスで提供されるコンテンツについて少なくともコンテンツ識別情報とコンテンツの特性を示す特性情報とコンテンツの長さ情報とを含むオンデマンドコンテンツ情報を格納するオンデマンドコンテンツ情報格納手段と、前記オンデマンドコンテンツ情報に基づき、利用可能なオンデマンド型コンテンツを参照し選択可能とするオンデマンドコンテンツ選択画面を生成するオンデマンドコンテンツ選択画面生成手段と、選択された前記オンデマンド型コンテンツを取得して再生を行うオンデマンドコンテンツ再生手段と、前記放送型サービスで提供されるコンテンツについて少なくともコンテンツ識別情報とコンテンツの特性を示す特性情報とコンテンツの放送開始時間と放送終了時間を示す放送時間帯情報とを含む放送番組表情報を格納する放送番組表格納手段と、前記放送番組表情報に基づき、利用者が利用可能な放送型コンテンツを参照し選択可能とする番組表画面を生成する番組表画面生成手段と、前記放送型コンテンツの選局及び再生を行う放送コンテンツ選局再生手段と、利用者の好むコンテンツの特性情報を利用者嗜好情報として記憶する利用者嗜好記憶手段と、前記オンデマンドコンテンツ情報と前記放送番組表情報とに基づき、指定されたオンデマンド型コンテンツのコンテンツ長を経過した時刻までに利用者嗜好に合致した放送型コンテンツの放送が開始されるかどうかを判定するコンテンツ時間重複判定手段と、利用者によりオンデマンド型コンテンツの選択指示がなされ、前記コンテンツ時間重複判定手段によって当該オンデマンド型コンテンツのコンテンツ長を経過した時刻までに利用者嗜好に合致した放送型コンテンツの放送開始が検出された場合に、当該放送型コンテンツの放送番組表情報を含むコンテンツ時間重複通知画面を生成するコンテンツ時間重複通知画面生成手段と、前記コンテンツ時間重複通知画面を表示する表示手段と、を備えるものである。
【０００９】
これにより、利用者がオンデマンド型コンテンツの再生開始を指定したとき、コンテンツ時間重複判定手段により当該コンテンツのコンテンツ長だけ経過した時刻までに利用者嗜好に合致した放送型コンテンツの放送開始を検出した場合に、コンテンツ時間重複通知画面生成手段により当該放送型コンテンツの放送番組表情報を含むコンテンツ時間重複通知画面を生成し、利用者に通知することができる。このため、利用者がオンデマンド型コンテンツの視聴開始前に放送型コンテンツで嗜好に合致したコンテンツと視聴時間が重複するかどうかを確認することができる。
【００１０】
（２）また、本発明は、上記（１）のコンテンツ受信再生装置であって、前記コンテンツ時間重複判定手段は、前記オンデマンドコンテンツ情報と前記放送番組表情報とに基づき、指定されたオンデマンド型コンテンツのコンテンツ長とあらかじめ設定された猶予時間との合計時間を経過した時刻までに利用者嗜好に合致した放送型コンテンツの放送が開始されるかどうかを判定するものとする。
【００１１】
これにより、所定猶予時間を考慮することで、オンデマンド型コンテンツ視聴中に一時停止や巻き戻しといった操作によりオンデマンド型コンテンツの視聴時間が本来のコンテンツ長より長くなることも想定した上で、利用者に放送型コンテンツの存在を通知することができる。
【００１２】
（３）また、本発明は、上記（１）または（２）のコンテンツ受信再生装置であって、前記表示手段は、前記オンデマンド型コンテンツ及び前記放送型コンテンツの表示再生を行うとともに、前記コンテンツ時間重複通知画面、前記オンデマンドコンテンツ選択画面および前記番組表画面を表示するものとする。
【００１３】
これにより、表示手段にてコンテンツ再生を行うとともに、コンテンツ時間重複通知画面、オンデマンドコンテンツ選択画面、番組表画面を表示して利用者に知らせることができる。
【００１４】
（４）本発明のコンテンツ受信再生装置は、所望のコンテンツを視聴可能とするオンデマンド型サービスとコンテンツを所定の時刻に配信する放送型サービスとを利用可能なコンテンツ受信再生装置であって、前記オンデマンド型サービスで提供されるコンテンツについて少なくともコンテンツ識別情報とコンテンツの特性を示す特性情報とコンテンツの長さ情報とコンテンツの提供期限日時情報とを含むオンデマンドコンテンツ情報を格納するオンデマンドコンテンツ情報格納手段と、前記オンデマンドコンテンツ情報に基づき、利用可能なオンデマンド型コンテンツを参照し選択可能とするオンデマンドコンテンツ選択画面を生成するオンデマンドコンテンツ選択画面生成手段と、選択された前記オンデマンド型コンテンツを取得して再生を行うオンデマンドコンテンツ再生手段と、前記放送型サービスで提供されるコンテンツについて少なくともコンテンツ識別情報とコンテンツの特性を示す特性情報とコンテンツの放送開始時間と放送終了時間を示す放送時間帯情報とを含む放送番組表情報を格納する放送番組表格納手段と、前記放送番組表情報に基づき、利用者が利用可能な放送型コンテンツを参照し選択可能とする番組表画面を生成する番組表画面生成手段と、前記放送型コンテンツの選局及び再生を行う放送コンテンツ選局再生手段と、利用者の好むコンテンツの特性情報を利用者嗜好情報として記憶する利用者嗜好記憶手段と、定期的に前記オンデマンドコンテンツ情報を参照し、利用者の嗜好に合致したオンデマンド型コンテンツについて、前記オンデマンドコンテンツ情報を参照した時点からコンテンツ長を経過した時刻が当該コンテンツの提供期限日時の前でかつその時間差が所定の猶予時間以下であるかどうかを判定するコンテンツ利用可能時間判定手段と、選択指示されていないオンデマンド型コンテンツについて、前記コンテンツ利用可能時間判定手段によって前記オンデマンドコンテンツ情報を参照した時点からそのコンテンツのコンテンツ長を経過した時刻がコンテンツの提供期限日時の前でかつその時間差が所定の猶予時間以下であるものが検出された場合に、該当するオンデマンドコンテンツ情報を含むサービス提供終了通知画面を生成するサービス提供終了通知画面生成手段と、前記サービス提供終了通知画面を表示する表示手段と、を備えるものである。
【００１５】
これにより、利用者が選択指定していないオンデマンド型コンテンツについて、コンテンツ利用可能時間判定手段により定期的にオンデマンドコンテンツ情報を参照して利用可能期限まで所定時間未満となった場合に、サービス提供終了通知画面生成手段により当該オンデマンド型コンテンツのサービス提供情報を含むサービス提供終了通知画面を生成し、利用者に通知することができる。このため、利用者の嗜好に合致したオンデマンド型コンテンツについて、コンテンツの提供期限切れによって利用者が見逃してしまうことを防ぐことができる。
【００１６】
（５）また、本発明は、上記（１）または（２）のコンテンツ受信再生装置であって、前記オンデマンドコンテンツ情報は、さらにコンテンツの提供期限日時情報を含み、定期的に前記オンデマンドコンテンツ情報を参照し、利用者の嗜好に合致したオンデマンド型コンテンツについて、前記オンデマンドコンテンツ情報を参照した時点からコンテンツ長を経過した時刻が当該コンテンツの提供期限日時の前でかつその時間差が所定の猶予時間以下であるかどうかを判定するコンテンツ利用可能時間判定手段と、選択指示されていないオンデマンド型コンテンツについて、前記コンテンツ利用可能時間判定手段によって前記オンデマンドコンテンツ情報を参照した時点からそのコンテンツのコンテンツ長を経過した時刻がコンテンツの提供期限日時の前でかつその時間差が所定の猶予時間以下であるものが検出された場合に、該当するオンデマンドコンテンツ情報を含むサービス提供終了通知画面を生成するサービス提供終了通知画面生成手段とを備えるものとする。
【００１７】
これにより、利用者がオンデマンド型コンテンツの視聴開始前に放送型コンテンツで嗜好に合致したコンテンツと視聴時間が重複するかどうかを確認でき、また、利用者の嗜好に合致したオンデマンド型コンテンツについて間もなく提供が終了するものを確認することができる。このため、利用者の嗜好に合ったオンデマンド型コンテンツや放送型コンテンツを見逃すことを防ぐことができる。
【００１８】
（６）また、本発明は、上記（４）または（５）のコンテンツ受信再生装置であって、前記表示手段は、前記オンデマンド型コンテンツ及び前記放送型コンテンツの表示再生を行うとともに、前記サービス提供終了通知画面、前記オンデマンドコンテンツ選択画面および前記番組表画面を表示するものとする。
【００１９】
これにより、表示手段にてコンテンツ再生を行うとともに、サービス提供終了通知画面、オンデマンドコンテンツ選択画面、番組表画面を表示して利用者に知らせることができる。
【００２０】
（７）また、本発明は、上記（１）から（６）のいずれかのコンテンツ受信再生装置であって、前記利用者嗜好記憶手段に記憶されている利用者の好むコンテンツの特性情報に合致したコンテンツに関する情報を、前記オンデマンドコンテンツ情報と前記放送番組表情報との双方から抽出して一覧表示するおすすめ一覧表示画面を生成するおすすめ一覧画面生成手段を備え、前記表示手段は、前記おすすめ一覧表示画面を表示するものであり、前記おすすめ一覧画面生成手段は、利用者により前記おすすめ一覧表示画面においてオンデマンド型コンテンツの選択指示がなされたとき、当該オンデマンド型コンテンツの再生時間と利用者嗜好に合致した放送型コンテンツの放送時間との時間重複が検出された場合に、前記おすすめ一覧画面上の該当する放送型コンテンツの番組表情報の表示を変更した画面を生成するものとする。
【００２１】
これにより、利用者は自分の嗜好にあったコンテンツをより認識しやすくなるとともに、コンテンツ時間の重複もより直感的に認識することができる。
【００２２】
（８）本発明のコンテンツ配信システムは、上記（１）から（７）のいずれかのコンテンツ受信再生装置と、放送型コンテンツを送出する放送番組送出装置と、前記放送型コンテンツに関する放送番組表情報を配信する放送番組表配信装置と、オンデマンド型コンテンツを送出するオンデマンドコンテンツ送出装置と、前記各装置間の情報伝送を行う通信網とを有するコンテンツ配信システムであって、前記放送番組送出装置は、前記放送番組表情報に従って放送型コンテンツを送出する放送コンテンツ送出制御手段を備え、前記放送番組表配信装置は、少なくとも現在の日時以降の放送番組表情報を配信する放送番組表配信制御手段を備え、前記オンデマンドコンテンツ送出装置は、コンテンツ受信再生装置からの要求に応じてオンデマンド型コンテンツを要求元へ送出するオンデマンドコンテンツ送出制御手段と、前記オンデマンド型コンテンツに関するオンデマンドコンテンツ情報を要求元へ配信するオンデマンドコンテンツ情報配信手段とを備え、前記コンテンツ受信再生装置は、前記放送番組表配信装置から放送番組表情報を取得し、前記放送番組送出装置が送出する放送型コンテンツを受信する放送型コンテンツ受信手段と、前記オンデマンドコンテンツ送出装置に対して取得要求を送信して、前記オンデマンドコンテンツ情報を取得し、前記オンデマンド型コンテンツを受信するオンデマンド型コンテンツ受信手段とを備えるものである。
【００２３】
これにより、利用者はオンデマンド型コンテンツの視聴開始前に放送型コンテンツで嗜好に合ったコンテンツと時間が重複しないかどうかを確認して放送型コンテンツを見逃すことを防ぐことができる。また、オンデマンド型コンテンツに関しても嗜好に合ったコンテンツを見逃すことを防ぐことができる。
【００２４】
（９）本発明のコンテンツ情報通知方法は、所望のコンテンツを視聴可能とするオンデマンド型サービスとコンテンツを所定の時刻に配信する放送型サービスとを行うコンテンツ配信システムにおけるコンテンツ情報通知方法であって、前記オンデマンド型サービスで提供されるコンテンツについて少なくともコンテンツ識別情報とコンテンツの特性を示す特性情報とコンテンツの長さ情報とを含むオンデマンドコンテンツ情報をオンデマンドコンテンツ情報配信手段より取得し、このオンデマンドコンテンツ情報に基づき、表示手段に表示させる画面として、利用者が利用可能なオンデマンド型コンテンツを参照し選択可能とするオンデマンドコンテンツ選択画面を生成するオンデマンドコンテンツ選択画面生成ステップと、前記放送型サービスで提供されるコンテンツについて少なくともコンテンツ識別情報とコンテンツの特性を示す特性情報とコンテンツの放送開始時間と放送終了時間を示す放送時間帯情報とを含む放送番組表情報を放送番組表配信手段より取得し、この放送番組表情報に基づき、表示手段に表示させる画面として、利用者が利用可能な放送型コンテンツを参照し選択可能とする番組表画面を生成する番組表画面生成ステップと、利用者の好むコンテンツの特性情報を含む利用者嗜好情報を取得し、この利用者嗜好情報と前記オンデマンドコンテンツ情報と前記放送番組表情報とに基づき、指定されたオンデマンド型コンテンツのコンテンツ長を経過した時刻までに利用者嗜好に合致した放送型コンテンツの放送が開始されるかどうかを判定するコンテンツ時間重複判定ステップと、利用者によりオンデマンド型コンテンツの選択指示がなされ、前記コンテンツ時間重複判定ステップにおいて当該オンデマンド型コンテンツのコンテンツ長を経過した時刻までに利用者嗜好に合致した放送型コンテンツの放送開始が検出された場合に、表示手段に表示させる画面として、当該放送型コンテンツの放送番組表情報を含むコンテンツ時間重複通知画面を生成するコンテンツ時間重複通知画面生成ステップと、前記コンテンツ時間重複通知画面を表示して利用者に通知するコンテンツ時間重複通知ステップと、を有するものである。
【００２５】
これにより、利用者がオンデマンド型コンテンツの再生開始を指定し、当該コンテンツのコンテンツ長だけ経過した時刻までに利用者嗜好に合致した放送型コンテンツの放送開始が検出された場合は、当該放送型コンテンツの放送番組表情報を含むコンテンツ時間重複通知画面を生成し、利用者に通知することができる。このため、利用者がオンデマンド型コンテンツの視聴開始前に放送型コンテンツで嗜好に合致したコンテンツと視聴時間が重複するかどうかを認識でき、その上でオンデマンド型コンテンツの視聴を選択したり等することができる。
【００２６】
（１０）本発明のコンテンツ受信再生装置は、嗜好を格納する嗜好記憶手段と、オンデマンド型コンテンツのコンテンツ長を格納するオンデマンドコンテンツ情報格納手段と、放送型サービスで提供される放送型コンテンツの識別情報ならびに放送開始時間および放送終了時間で構成される番組データを格納する放送番組表格納手段と、前記オンデマンドコンテンツ情報格納手段に格納されたオンデマンド型コンテンツの選択がなされた時、前記選択されたオンデマンド型コンテンツのコンテンツ長を経過した時刻までに前記嗜好に合致した放送型コンテンツの放送が開始されるかどうかを判定するコンテンツ時間重複判定手段と、前記コンテンツ時間重複判定手段によって重複があると判定された場合に、重複のあったことを表示する表示手段とを備えるものである。
【００２７】
これにより、オンデマンド型コンテンツの選択がなされた時、その再生時間帯に嗜好と合致した放送型コンテンツがあったとき、重複のあったことを表示することができる。
【発明の効果】
【００２８】
本発明によれば、利用者がコンテンツの視聴を中断すること無く放送型コンテンツを見逃さないようにすることが可能なコンテンツ受信再生装置、コンテンツ配信システム、及びコンテンツ情報通知方法を提供できる。また、本発明によれば、オンデマンド型コンテンツについても利用者が見逃す可能性を低減させることが可能なコンテンツ受信再生装置、コンテンツ配信システム、及びコンテンツ情報通知方法を提供できる。
【発明を実施するための最良の形態】
【００２９】
（第１の実施形態）
図１は本発明の第１の実施形態に係るコンテンツ配信システムの構成を示す図である。コンテンツ配信システム１０１は、コンテンツを受信して利用者がコンテンツを視聴するためのコンテンツ受信再生装置１０２と、放送型コンテンツを送出する放送番組送出装置１０３と、放送番組表を配信する放送番組表配信装置１０４と、オンデマンド型コンテンツ及びオンデマンドコンテンツ情報をコンテンツ受信再生装置１０２からの要求に従って送出するオンデマンドコンテンツ送出装置１０５と、各装置間での通信を実現する通信網１０６とを有して構成されている。図１の例では各装置が１台ずつの構成となっているが、各装置が複数台存在しても構わない。
【００３０】
放送番組送出装置１０３は、外部へのコンテンツ送信を行うための通信手段１１１と、放送型コンテンツを格納するコンテンツ記憶手段１１２と、日時情報を出力する時計１１３と、放送番組表情報を格納する放送番組表格納手段１１４と、放送番組表情報を参照し放送番組表に従って放送型コンテンツをコンテンツ記憶手段１１２から読み出して送出する放送コンテンツ送出制御手段１１５とを有して構成される。
【００３１】
放送番組表配信装置１０４は、外部との送受信を実現する通信手段１２１と、放送番組表情報を格納する放送番組表格納手段１２２と、日時情報を出力する時計１２３と、放送番組表格納手段１２２から少なくとも現在の日時以降の放送番組表情報を取得し外部に配信するよう制御する放送番組表配信制御手段１２４とを有して構成される。
【００３２】
オンデマンドコンテンツ送出装置１０５は、外部との送受信を実現する通信手段１３１と、オンデマンド型コンテンツとオンデマンドコンテンツ情報とを格納する記憶手段１３２と、コンテンツ受信再生装置１０２からの要求に応じて記憶手段１３２からオンデマンドコンテンツ情報を読み出して要求元へ配信するオンデマンドコンテンツ情報配信手段１３３と、コンテンツ受信再生装置１０２からの要求に応じて記憶手段１３２からオンデマンド型コンテンツを読み出して要求元へ送出するオンデマンドコンテンツ送出制御手段１３４とを有して構成される。
【００３３】
なお、図１の例では、放送型コンテンツとオンデマンド型コンテンツは同一の通信網１０６を介して配信される構成としているが、異なる通信網を用いても構わない。例えば、放送型コンテンツの通信網としては地上波放送や衛星放送などを用い、オンデマンド型コンテンツの通信網としてインターネットを利用してもよい。
【００３４】
また、図１の例では、放送番組送出装置１０３と放送番組表配信装置１０４とを別個の構成としているが、放送番組送出装置１０３が放送番組表を記憶管理し配信する機能を備えても構わない。例えばＢＳデジタル衛星放送や地上デジタル放送における電子番組ガイド（ＥＰＧ）の番組表と同様に放送型コンテンツと多重化して送出してもよい。
【００３５】
図２はコンテンツ受信再生装置１０２の構成を示す図である。コンテンツ受信再生装置１０２は、外部への要求発行やコンテンツ受信を行う通信手段２０１と、オンデマンド型サービスで提供されるコンテンツについて少なくともコンテンツ識別情報とコンテンツの特性を示す情報とコンテンツの長さとの組からなるオンデマンドコンテンツ情報を通信手段２０１を介して外部から取得し格納するオンデマンドコンテンツ情報格納手段２０２と、オンデマンドコンテンツ情報を参照して利用者が利用可能なコンテンツを参照し選択可能とする画面を生成するオンデマンドコンテンツ選択画面生成手段２０３と、オンデマンドコンテンツの配信要求を発行し受信したオンデマンドコンテンツの再生を行うオンデマンドコンテンツ再生手段２０４とを有する。また、放送型サービスで提供されるコンテンツについて少なくともコンテンツ識別情報とコンテンツの特性を示す情報とコンテンツの放送開始時間と放送終了時間を示す放送時間帯情報との組からなる放送番組表情報を通信手段２０１を介して外部から取得し格納する放送番組表格納手段２０５と、番組表情報を参照し利用者が利用可能な番組コンテンツを参照し選択可能とする画面を生成する番組表画面生成手段２０６と、放送型コンテンツの選局及び再生を行う放送コンテンツ選局再生手段２０７とを有する。
【００３６】
また、コンテンツ受信再生装置１０２は、利用者の好むコンテンツの特性情報を利用者嗜好情報として記憶する利用者嗜好記憶手段２０８と、日時情報を提供する時計２０９と、コンテンツや選択画面の映像音声を出力する表示手段を含む映像音声出力手段２１０と、利用者がコンテンツ選択や再生開始指示などの操作を入力する操作手段２１１と、オンデマンドコンテンツ情報と放送番組表を参照して指定されたオンデマンドコンテンツのコンテンツ長だけ経過した時刻までに利用者嗜好に合致した放送型コンテンツの放送が開始されるかどうかを判定するコンテンツ時間重複判定手段２１２と、利用者の操作に応じてコンテンツ再生や選択画面表示などの制御を行うとともに利用者がオンデマンド型コンテンツを選択した場合にコンテンツ時間重複判定を行うよう制御する制御手段２１３とを有する。この制御手段２１３は、コンテンツ時間重複通知画面生成手段の機能を有する。
【００３７】
以上のように構成されたコンテンツ受信再生装置１０２及びコンテンツ配信システム１０１について、以下その動作を説明する。図３は放送番組表の例を示す図である。この例では放送番組表は、番組の開始日時と、番組の終了日時と、チャンネル名と、番組名と、番組の特性の１つであるジャンルから構成されている。なお、この例では特性情報としてジャンルを用いたが、特性情報として例えば出演者の名前や製作年月日など、他の情報を利用してもよい。また、特性情報として複数の情報を利用してもよい。また、この例では放送チャンネルが２つ存在しているが、チャンネルは単一でも構わず、また３つ以上存在してもよい。チャンネルが単一の場合は、放送番組表にチャンネル名は不要となる。
【００３８】
放送番組表が図３のようである場合の放送番組送出装置１０３について、その動作を説明する。放送型コンテンツはあらかじめコンテンツ記憶手段１１２に格納される。このコンテンツの格納方法については本実施形態では特に言及しない。放送番組表は放送番組送出装置１０３内の放送番組表格納手段１１４にあらかじめ格納される。なお、ここではあらかじめ格納されている場合について説明するが、放送番組表配信装置１０４が配信する放送番組表を通信手段１１１を介して放送コンテンツ送出制御手段１１５が受信して放送番組表格納手段１１４に格納してもよい。
【００３９】
放送コンテンツ送出制御手段１１５は、放送番組表格納手段１１４が格納する放送番組表を参照し、また時計１１３から日時情報を取得する。放送コンテンツ送出制御手段１１５は、放送番組表の放送開始日時と放送終了日時に従って動作する。放送番組表に記述されている放送開始日時からコンテンツ記憶手段１１２から当該コンテンツを読み出して通信手段１１１を介して送出を開始し、コンテンツの終了日時になると送出を終了する。この動作を放送番組表に記述されている全てのコンテンツについて実行する。
【００４０】
次に、放送番組表配信装置１０４について、その動作を説明する。図３に示すような放送番組表はあらかじめ放送番組表配信装置１０４内の放送番組表格納手段１２２に格納される。この放送番組表の格納方法については本実施形態では特に言及しない。
【００４１】
放送番組表配信制御手段１２４は、放送番組表格納手段１２２より放送番組表を読み出して、通信手段１２１を介して放送番組表を配信する。なお、放送番組表配信制御手段１２４は、定期的に放送番組表格納手段１２２を参照して、定期的に通信手段１２１より配信するよう動作してもよいし、通信手段１２１を介して外部より放送番組表配信要求を受信した場合のみ放送番組表を配信するように動作してもよい。また、放送番組表配信制御手段１２４は、時計１２３から取得される日時情報を参照して、放送開始日時と放送終了日時の間に現在時刻を含むコンテンツ以降のコンテンツに関する放送番組表だけを抽出して配信してもよい。
【００４２】
次に、オンデマンドコンテンツ送出装置１０５について、その動作を説明する。図４はオンデマンドコンテンツ情報の例を示す図である。この例ではオンデマンドコンテンツ情報は、コンテンツ名と、コンテンツ長と、コンテンツの特性の１つであるジャンルとの組から構成されている。なお、この例では特性情報としてジャンルを用いたが、特性情報として例えば出演者の名前や製作年月日など、他の情報を利用してもよい。また、特性情報として複数の情報を利用してもよい。
【００４３】
オンデマンド型コンテンツ及びオンデマンドコンテンツ情報はあらかじめ記憶手段１３２に格納される。これらの格納方法については本実施形態では特に言及しない。
【００４４】
オンデマンドコンテンツ情報配信手段１３３は、通信手段１３１を介してオンデマンドコンテンツ情報配信要求を受けると、記憶手段１３２からオンデマンドコンテンツ情報を読み出して要求元に配信する。なお、オンデマンドコンテンツ情報配信手段１３３は記憶手段１３２内のオンデマンドコンテンツ情報をそのまま配信してもよいし、例えばオンデマンドコンテンツ情報配信手段１３３が記憶手段１３２内のオンデマンドコンテンツ情報をコンテンツ名やジャンルなどにより検索する検索機能を備えて、検索条件をともなうオンデマンドコンテンツ情報配信要求を受けた場合は、検索結果のオンデマンドコンテンツ情報を配信してもよい。
【００４５】
オンデマンドコンテンツ送出制御手段１３４は、通信手段１３１を介してコンテンツ名を指定したオンデマンドコンテンツ送出要求を受けると、記憶手段１３２から当該コンテンツを読み出して、通信手段１３１を介して要求元へ送出する。
【００４６】
次に、図２に示すコンテンツ受信再生装置１０２について、その動作を説明する。利用者嗜好記憶手段２０８にはあらかじめ利用者の嗜好を示す特性情報からなる利用者嗜好情報が格納される。この格納方法については、本実施形態では特に言及しないが、例えば利用者が好みのジャンルを登録するようにしてもよいし、視聴頻度の高いジャンルを自動的に登録するようにしてもよい。
【００４７】
図５は利用者嗜好記憶手段２０８に格納されている利用者嗜好情報の例を示すものである。なお、この例では利用者嗜好情報として１つの特性情報（ドキュメンタリー）のみが記述されているが、利用者嗜好情報は複数の特性情報を含んでもよい。
【００４８】
操作手段２１１は、利用者が少なくとも放送型コンテンツの視聴を選択する操作と、放送番組表画面を表示する操作と、番組表画面上で放送型コンテンツの視聴を選択指定する操作と、オンデマンドコンテンツ選択画面を表示する操作と、オンデマンドコンテンツ選択画面上でコンテンツの視聴を選択指定する操作を実行することができるものである。
【００４９】
利用者が操作手段２１１により放送型コンテンツの視聴選択の操作を行った場合、制御手段２１３は放送コンテンツ選局再生手段２０７に対し放送型コンテンツの受信再生の実行を指示するとともに、映像音声出力手段２１０に対し放送コンテンツ選局再生手段２０７が出力する映像音声データを受信して出力するよう指示する。
【００５０】
放送コンテンツ選局再生手段２０７は通信手段２０１を介して放送型コンテンツを受信し、映像音声データを映像音声出力手段２１０へ出力する。映像音声出力手段２１０は放送コンテンツ選局再生手段２０７より受信した映像音声を出力する。これにより利用者は所望の放送型コンテンツを視聴することができる。
【００５１】
次に、利用者が操作手段２１１により放送番組表画面の表示を指示した場合の動作について説明する。番組表画面生成手段２０６は通信手段２０１を介して放送番組表を受信し放送番組表格納手段２０５に格納する。なお、ここでは番組表画面生成手段２０６は一方的に送られてくる放送番組表を受信する例を示したが、番組表画面生成手段２０６が通信手段２０１を介して放送番組表配信装置１０４に対し放送番組表配信要求を発行し、その応答として放送番組表を受信する構成としてもよい。
【００５２】
利用者が操作手段２１１により放送番組表画面の表示を指示すると、制御手段２１３は番組表画面生成手段２０６に対し番組表画面生成を要求するとともに、映像音声出力手段２１０に対し番組表画面生成手段２０６が出力する番組表画面の出力を指示する。番組表画面生成手段２０６は時計２０９から現在の日時を取得し、放送番組表格納手段２０５に格納されている放送番組表を参照して、現在放送中の番組以降の番組について番組表画面を生成し、映像音声出力手段２１０へ出力する。映像音声出力手段２１０は番組表画面生成手段２０６より出力された番組表画面を出力する。これにより利用者は番組表画面を視聴することができる。
【００５３】
図６は放送番組表が図３のようであり、現在日時が２００５年１月２５日の１２：３０であり、選局しているチャンネルが１である場合に表示される放送番組表画面の例を示すものである。この例では、現在視聴中の番組については番組表上で表示色を変えるなどして、利用者が認識しやすいように表示する。また、番組を囲むようにカーソルを表示し、このカーソルは操作手段２１１により番組表画面上で他チャンネルで放送中の番組情報上に移動可能とする。
【００５４】
このような番組表画面を表示しているときに利用者が操作手段２１１によりカーソルをチャンネル２の番組Ｎの情報上に移動し選局指定操作を行うと、制御手段２１３は番組表生成手段２０６に対し利用者が指定した番組表画面上の位置に相当するチャンネル情報の取得要求を発行する。番組表生成手段２０６は当該チャンネル情報を制御手段２１３に返す。制御手段２１３は放送コンテンツ選局再生手段２０７に対し、チャンネルの切替要求を発行するとともに、映像音声出力手段２１０に放送コンテンツ選局再生手段２０７が出力する映像音声を出力するよう指示する。放送コンテンツ選局再生手段２０７は受信するチャンネルを要求されたチャンネルに切替えてコンテンツを受信し、映像音声を映像音声出力手段２１０へ出力する。映像音声出力手段２１０は放送コンテンツ選局再生手段２０７から出力される映像音声データを出力する。これにより、利用者は番組表画面で選択したチャンネルの放送型コンテンツを視聴することができる。
【００５５】
次に利用者が操作手段２１１によりオンデマンドコンテンツ情報画面の表示を指示した場合の動作について説明する。制御手段２１３はオンデマンドコンテンツ情報画面の表示指示を受けると、オンデマンドコンテンツ選択画面生成手段２０３に対しオンデマンドコンテンツ選択画面生成要求を発行するとともに、映像音声出力手段２１０に対しオンデマンドコンテンツ選択画面生成手段２０３が出力するオンデマンドコンテンツ選択画面を出力するよう指示する。オンデマンドコンテンツ選択画面生成手段２０３は、通信手段２０１を介して定期的にオンデマンドコンテンツ送出装置１０５に対しオンデマンドコンテンツ情報配信要求を発行し、受信したオンデマンドコンテンツ情報をオンデマンドコンテンツ情報格納手段２０２に格納する。
【００５６】
なお、この例ではオンデマンドコンテンツ選択画面生成手段２０３が定期的にオンデマンドコンテンツ情報を取得しているが、制御手段２１３によりオンデマンドコンテンツ選択画面生成要求を受けた時点でオンデマンドコンテンツ送出装置１０５にオンデマンドコンテンツ情報配信要求を発行してオンデマンドコンテンツ情報を受信する構成としてもよい。
【００５７】
オンデマンドコンテンツ選択画面生成手段２０３は、オンデマンドコンテンツ選択画面生成要求を受けると、オンデマンドコンテンツ情報格納手段２０２に格納されているオンデマンドコンテンツ情報を参照しオンデマンドコンテンツ選択画面を生成して、映像音声出力手段２１０へ出力する。映像音声出力手段２１０はオンデマンドコンテンツ選択画面を出力する。これにより、利用者がオンデマンドコンテンツ選択画面を視聴することができる。
【００５８】
図７はオンデマンドコンテンツ情報が図４のようである場合に表示されるオンデマンドコンテンツ選択画面の例を示すものである。この例では、コンテンツ情報を囲むようにカーソルを表示し、このカーソルは操作手段２１１によりオンデマンドコンテンツ選択画面上で各コンテンツ情報上に移動可能とする。
【００５９】
このようなオンデマンドコンテンツ選択画面を表示しているときに利用者が操作手段２１１によりオンデマンドコンテンツ選択画面上のカーソルを移動させ、任意のコンテンツを選択指定操作を行うと、制御手段２１３はカーソルの画面上の位置情報とともにコンテンツ名取得要求をオンデマンドコンテンツ選択画面生成手段２０３に発行する。オンデマンドコンテンツ選択画面生成手段２０３は受け取った画面上の位置情報の位置に表示されているコンテンツのコンテンツ名を制御手段２１３に返す。制御手段２１３は受け取ったコンテンツ名を指定してオンデマンドコンテンツ選択要求をコンテンツ時間重複判定手段２１２に発行する。
【００６０】
コンテンツ時間重複判定手段２１２の動作を、図８を用いて説明する。コンテンツ時間重複判定手段２１２は、時計２０９を参照し現在日時情報を取得し（ステップ８０１）、オンデマンドコンテンツ情報格納手段２０２を参照して当該コンテンツのコンテンツ長を取得する（ステップ８０２）。放送番組表格納手段２０５を参照してその最初のエントリの放送番組表を参照する（ステップ８０３）。現在日時からオンデマンドコンテンツのコンテンツ長だけ経過した日時までの時間帯と放送番組表の時間帯情報を比較して重複しているかどうかを判定する（ステップ８０４）。時間帯が重複している場合は、さらに放送番組表の特性情報が利用者嗜好記憶手段２０８の利用者嗜好情報と合致しているかどうかを判定し（ステップ８０５）、合致している場合はそのエントリの情報を重複番組情報として保持する（ステップ８０６）。放送番組表格納手段２０５を参照し次のエントリが存在するかどうかを判定し（ステップ８０７）、存在する場合はその次のエントリ情報を参照して（ステップ８０８）、ステップ８０４の処理に戻り、エントリが無くなるまでこれまでの処理を繰り返す。放送番組表格納手段２０５に未参照のエントリが無くなると、重複番組情報が保持されているかどうかを判定する（ステップ８０９）。重複番組情報が保持されていない場合は、制御手段２１３に対しコンテンツ時間重複なしの通知を返す（ステップ８１０）。重複番組情報が保持されている場合は、制御手段２１３にコンテンツ時間重複検出の通知を返すとともに、重複番組の放送番組表を一覧表示する重複番組一覧画面を生成して映像音声出力手段２１０に出力する（ステップ８１１）。
【００６１】
なお、この例ではステップ８０４にて放送番組表の時間帯と比較する情報として現在日時からオンデマンドコンテンツのコンテンツ長だけ経過した日時までの時間帯を用いたが、オンデマンドコンテンツのコンテンツ長にあらかじめ設定された猶予時間を加えた時間だけ経過した日時までの時間帯を用いることもできる。オンデマンドコンテンツを視聴する場合は利用者が一時停止操作や巻き戻し操作などを行う可能性があり、コンテンツ長よりも長い時間視聴する場合があるため、猶予時間を加えることは有効である。
【００６２】
制御手段２１３はコンテンツ時間重複判定手段２１２からコンテンツ時間重複なしの通知を受け取った場合は、オンデマンドコンテンツ再生手段２０４に対し当該オンデマンドコンテンツの再生開始要求を発行するとともに映像音声出力手段２１０にオンデマンドコンテンツ再生手段２０４の出力する映像音声データを出力するよう指示する。オンデマンドコンテンツ再生手段２０４は通信手段２０１を介してオンデマンドコンテンツ送出装置１０５に対し当該オンデマンドコンテンツの送出要求を発行し、オンデマンドコンテンツを受信して映像音声データを映像音声出力手段２１０に出力し、映像音声出力手段２１０はオンデマンドコンテンツ再生手段２０４から出力された映像音声を出力する。
【００６３】
制御手段２１３がコンテンツ時間重複判定手段２１２からコンテンツ時間重複検出の通知を受け取った場合は、映像音声出力手段２１０に対しコンテンツ時間重複判定手段２１２が生成する重複番組一覧画面の出力を指示し、映像音声出力手段２１０は重複番組一覧画面を出力する。
【００６４】
図９は利用者嗜好情報が図５のようであり、放送番組表が図３のようであり、オンデマンドコンテンツ情報が図４のようであり、２００５年１月２５日の１２：３０に利用者がオンデマンドコンテンツ１を選択指示した場合に出力される重複番組一覧画面の例を示すものである。重複番組一覧画面には利用者が指定したオンデマンドコンテンツの視聴と重複する放送番組の情報が表示されるとともに、オンデマンドコンテンツ視聴実施の確認を行い、利用者が放送番組との重複を認識した上でオンデマンドコンテンツの視聴を実施するかどうかを選択可能とする。この例では、視聴するか、視聴をやめるかを示すボタンをそれぞれ画面上に表示し、現在選択している方を示すカーソルを表示して、利用者の意思で選択決定可能としている。
【００６５】
利用者が操作手段２１１により選択入力すると、制御手段２１３は利用者が選択したボタンの画面上の位置情報をコンテンツ時間重複判定手段２１２に渡し、コンテンツ時間重複判定手段２１２は位置情報から利用者がコンテンツ視聴を選択したかどうかを判定して制御手段２１３に返す。
【００６６】
利用者がコンテンツ視聴を選択した場合は、制御手段２１３はオンデマンドコンテンツ再生手段２０４に当該コンテンツ再生要求を発行するとともに、映像音声出力手段２１０にオンデマンドコンテンツ再生手段２０４の出力する映像音声を出力するよう指示し、当該コンテンツの視聴を開始させる。
【００６７】
利用者がコンテンツ視聴をとりやめた場合は、制御手段２１３は映像音声出力手段２１０にオンデマンドコンテンツ選択画面生成手段２０３の出力する映像音声を出力するよう指示し、コンテンツ選択前のオンデマンドコンテンツ選択画面に戻す。
【００６８】
なお、ここではオンデマンドコンテンツ選択画面に戻す例を示したが、コンテンツ時間重複判定手段２１２に対し重複番組の最初のエントリのチャンネル情報取得要求を発行してチャンネル情報を取得し、放送コンテンツ選局再生手段２０７と映像音声出力手段２１０を制御して当該チャンネルの放送番組を出力するようにしてもよい。
【００６９】
上記のような第１の実施形態のコンテンツ受信再生装置１０２及びコンテンツ配信システム１０１では、利用者がオンデマンドコンテンツの視聴を選択指定した場合にコンテンツ受信再生装置１０２のコンテンツ時間重複判定手段２１２が当該オンデマンドコンテンツの視聴期間と重複する放送時間帯の放送番組で利用者嗜好記憶手段２０８の利用者嗜好情報に合致する放送型コンテンツの有無を判定し、存在する場合は利用者に通知を行うようになっている。これにより、利用者はオンデマンドコンテンツの視聴開始前に自分の嗜好に合致する放送型コンテンツの存在を認識することができ、その上でオンデマンドコンテンツの視聴の選択することができる。
【００７０】
（第２の実施形態）
次に本発明の第２の実施形態に係るコンテンツ配信システム１０１及びコンテンツ受信再生装置１０２について、図面を用いて説明する。コンテンツ配信システム１０１及びコンテンツ受信再生装置１０２の構成は本発明の第１の実施形態と同様である。第２の実施形態では、コンテンツ受信再生装置１０２のコンテンツ時間重複判定手段２１２及び制御手段２１３の機能が第１の実施形態と異なり、コンテンツ時間重複判定手段２１２がコンテンツ利用可能時間判定手段の機能を有し、制御手段２１３がサービス提供終了通知画面生成手段の機能を有するようになっている。
【００７１】
第２の実施形態におけるオンデマンドコンテンツ情報の例を図１０に示す。この例ではオンデマンドコンテンツ情報はコンテンツ名と、コンテンツ長と、コンテンツの提供期限日時と、コンテンツの特性の１つであるジャンルとの組から構成されている。なお、この例では特性情報としてジャンルを用いたが、特性情報として例えば出演者の名前や製作年月日など、他の情報を利用してもよい。また、特性情報として複数の情報を利用してもよい。
【００７２】
コンテンツ受信再生装置１０２のコンテンツ時間重複判定手段２１２の動作を図１１を用いて説明する。時計２０９を参照し現在日時情報を取得し（ステップ１１０１）、オンデマンドコンテンツ情報格納手段２０２の最初のエントリのオンデマンドコンテンツ情報を参照する（ステップ１１０２）。エントリの特性情報が利用者嗜好記憶手段２０８に格納されている利用者嗜好情報と合致しているかどうかを判定し（ステップ１１０３）、合致している場合は、さらに現在日時からコンテンツ長だけ経過した日時から提供期限日時までの時間があらかじめ設定された猶予時間に一致するかどうかを判定する（ステップ１１０４）。一致した場合は、エントリの情報を期限情報として保持する（ステップ１１０５）。オンデマンドコンテンツ情報に次のエントリが存在するかどうかを判定し（ステップ１１０６）、存在する場合はその次のエントリ情報を参照して（ステップ１１０７）、ステップ１１０３の処理に戻り、エントリが無くなるまでこれまでの処理を繰り返す。
【００７３】
オンデマンドコンテンツ情報格納手段２０２に未参照のエントリが無くなると、期限情報が保持されているかどうかを判定する（ステップ１１０８）。期限情報が保持されている場合は、制御手段２１３に期限情報検出通知を発行するとともに、期限情報を一覧表示する期限通知一覧画面を生成して映像音声出力手段２１０に出力し（ステップ１１０９）、制御手段２１３からの通知を待つ（ステップ１１１０）。期限情報が保持されていない場合は、一定時間待つ（ステップ１１１１）。そしてステップ１１１０にて制御手段２１３からの通知を受けるか、ステップ１１１１にて一定時間経過すると、ステップ１１０１の処理に戻り、これらの処理を繰り返し実行する。
【００７４】
制御手段２１３は、コンテンツ時間重判定複判定手段２１２より期限情報検出通知を受けると、映像音声出力手段２１０にコンテンツ時間重複判定手段２１２が出力する期限通知一覧画面を現在出力している映像に重ねて出力するよう指示する。映像音声出力手段２１０は、コンテンツ時間重複判定手段２１２が出力する期限通知一覧画面を現在出力している映像に重ねて出力する。
【００７５】
図１２はオンデマンドコンテンツ情報が図４のようであり、利用者嗜好情報が図５のようであり、現在日時が２００５年１月２５日の１２時３０分であり、あらかじめ設定されている猶予時間が３０分である場合に出力される期限通知一覧画面の例を示すものである。この例では現在視聴されている映像表示を極力妨げないように、期限通知一覧画面が表示画面の隅の方に表示されている。期限通知一覧画面には利用者の嗜好に合致したオンデマンドコンテンツの提供期限日時が迫っている旨が表示されるとともに、オンデマンドコンテンツ視聴実施の選択を可能とする。この例では、視聴するかどうかを示すボタンをそれぞれ画面上に表示し、現在選択している方を示すカーソルを表示して、利用者の意思で選択決定可能としている。
【００７６】
利用者が操作手段２１１により選択入力すると、制御手段２１３は利用者が選択したボタンの画面上の位置情報をコンテンツ時間重複判定手段２１２に渡し、コンテンツ時間重複判定手段２１２は位置情報から利用者がコンテンツ視聴を選択したかどうかを判定して制御手段２１３に返す。この後、コンテンツ時間重複判定手段２１２は期限通知一覧画面の出力を停止して図１１のステップ１１１０を抜けて図１１のステップ１１０１からの処理を繰り返す。
【００７７】
利用者がコンテンツ視聴を選択した場合は、制御手段２１３はオンデマンドコンテンツ再生手段２０４に当該コンテンツ再生要求を発行するとともに、映像音声出力手段２１０にオンデマンドコンテンツ再生手段２０４の出力する映像音声を出力するよう指示し、当該コンテンツの視聴を開始させる。
【００７８】
利用者がコンテンツ視聴しないことを選択した場合は、制御手段２１３は映像音声出力手段２１０にコンテンツ時間重複判定手段２１２が出力する期限通知一覧画面の出力停止を指示し、元の画面状態に復帰させる。
【００７９】
上記のような第２の実施形態のコンテンツ受信再生装置１０２及びコンテンツ配信システム１０１では、コンテンツ時間重複判定手段２１２が利用者の嗜好に合致するオンデマンドコンテンツの提供期限日時が迫っているかどうかを判定し、提供期限日時が迫っている場合は利用者にその旨を通知し当該オンデマンドコンテンツ視聴を選択可能とするようになっている。これにより、利用者が嗜好に合致するオンデマンドコンテンツを見逃す可能性を低減することができる。
【００８０】
（第３の実施形態）
次に本発明の第３の実施形態に係るコンテンツ配信システム１０１及びコンテンツ受信再生装置１０２について、図面を用いて説明する。
【００８１】
図１３は本発明の第３の実施形態に係るコンテンツ受信再生装置１０２の構成を示す図である。図１３において、おすすめ一覧画面生成手段１３０１はオンデマンドコンテンツ情報格納手段２０２のオンデマンドコンテンツ情報と放送番組表格納手段２０５の放送番組表と利用者嗜好記憶手段２０８の利用者嗜好情報を参照し、利用者の嗜好に合致する放送番組表情報とオンデマンドコンテンツ情報とを一覧表示するおすすめ一覧画面を生成するものであり、操作手段２１１は利用者がおすすめ一覧画面の表示も指示可能なものである。その他の構成要素は第１の実施形態と同様である。
【００８２】
以上のように構成されたコンテンツ受信再生装置１０２について、以下その動作を説明する。利用者が操作手段２１１によりおすすめ一覧画面の表示を指示すると、制御手段２１３はおすすめ一覧画面生成手段１３０１に対しおすすめ一覧画面生成要求を発行するとともに、映像音声出力手段２１０におすすめ一覧画面生成手段１３０１が出力するおすすめ一覧画面を出力するよう指示する。
【００８３】
おすすめ一覧画面生成手段１３０１がおすすめ一覧画面を生成する動作を図１４を参照して説明する。おすすめ一覧画面生成手段１３０１は利用者嗜好記憶手段２０８から利用者嗜好情報を読み出し（ステップ１４０１）、時計２０９から現在の日時を取得し（ステップ１４０２）、放送番組表格納手段２０５に格納されている放送番組表の最初のエントリを参照する（ステップ１４０３）。放送時間帯が現在日時を含むかまたは現在日時以降で、かつ特性情報が利用者嗜好と合致するかどうかを判定し（ステップ１４０４）、合致していればエントリ情報をおすすめ一覧画面に登録する（ステップ１４０５）。次のエントリが存在するかどうかを判定し（ステップ１４０６）、エントリが存在すれば次のエントリを参照し（ステップ１４０７）、ステップ１４０４の処理に戻り、すべてのエントリについて処理を行う。
【００８４】
次にオンデマンドコンテンツ情報格納手段２０２の最初のエントリ情報を参照する（ステップ１４０８）。エントリの特性情報が利用者嗜好情報と合致するかどうかを判定し（ステップ１４０９）、合致していればエントリ情報をおすすめ一覧画面に登録する（ステップ１４１０）。次のエントリが存在するかどうかを判定し（ステップ１４１１）、存在すれば次のエントリ情報を参照して（ステップ１４１２）、ステップ１４０９に戻り、すべてのエントリについて処理を行う。すべてのエントリについて処理を終えた後、おすすめ一覧画面を出力する（ステップ１４１３）。
【００８５】
図１５は放送番組表が図３のようであり、オンデマンドコンテンツ情報が図４のようであり、利用者嗜好情報が図５のようであり、現在日時が２００５年１月２５日の１２：３０である場合に表示されるおすすめ一覧画面の例を示すものである。この例では、放送型コンテンツとして番組Ｄとオンデマンドコンテンツとしてコンテンツ３とが表示される。この例では、コンテンツ情報を囲むようにカーソルを表示し、このカーソルは操作手段２１１によりおすすめ一覧画面上の各コンテンツ情報上を移動可能としている。
【００８６】
おすすめ一覧画面上で利用者が放送型コンテンツを選択した場合は、放送番組表画面上で選択した場合と同様に動作し、当該放送型コンテンツを映像音声出力手段２１０より出力する。
【００８７】
おすすめ一覧画面上でオンデマンドコンテンツを選択した場合は、コンテンツ時間重複判定判定手段２１２は第１の実施形態と同様に動作し、時間が重複する放送型コンテンツが存在するかどうかを判定する。時間が重複する放送型コンテンツが存在しない場合は、第１の実施形態と同様に動作し、オンデマンド型コンテンツの映像音声を出力する。
【００８８】
時間が重複する放送型コンテンツが存在する場合は、コンテンツ時間重複判定手段２１２は重複番組一覧画面を生成せず、重複番組一覧情報を制御手段２１３に通知し、制御手段２１３は重複番組一覧情報をおすすめ一覧画面生成手段１３０１に通知し、おすすめ一覧画面生成手段１３０１は重複番組一覧情報に含まれる放送型コンテンツについて、おすすめ一覧画面上の表示を変更して出力して利用者に通知する。
【００８９】
図１６は重複番組が検出された場合のおすすめ一覧画面の例を示すものである。おすすめ一覧画面上で時間が重複する放送型コンテンツを表示し、さらにこの画面上でオンデマンドコンテンツの視聴をするかどうかの選択入力を可能としている。図１６では、番組Ｄの表示色等を変更することで重複番組であることを表示するとともに、「コンテンツ３を視聴している間にこの番組が始まってしまいます。本当にコンテンツ３を視聴しますか。」とのガイダンス文と、「視聴する」、「視聴しない」の選択ボタンを表示している。
【００９０】
ここでオンデマンドコンテンツの視聴を選択した場合、及び視聴しないことを選択した場合の動作は、第１の実施形態の重複番組一覧画面上で選択した場合と同様である。
【００９１】
上記のような第３の実施形態のコンテンツ受信再生装置１０２及びコンテンツ配信システム１０１では、おすすめ一覧画面生成手段１３０１が利用者嗜好に合致したコンテンツの一覧を表示することにより、利用者が自分の嗜好に合致したコンテンツを見逃す可能性がより低減される。また、利用者がおすすめ一覧画面上からオンデマンドコンテンツの視聴を選択指定した場合に、コンテンツ時間重複判定手段２１２が当該オンデマンドコンテンツの視聴期間と重複する放送時間帯の放送番組で利用者嗜好記憶手段２０８の利用者嗜好情報に合致する放送型コンテンツの有無を判定し、存在する場合はおすすめ一覧画面上で利用者に通知を行うことにより、利用者はオンデマンドコンテンツの視聴開始前に自分の嗜好に合致する放送型コンテンツの存在をより直感的に認識することができ、その上でオンデマンドコンテンツの視聴の選択することができる。
【００９２】
上述したように、本実施形態によれば、オンデマンド型コンテンツの視聴開始前に利用者の嗜好に合致した放送型コンテンツの放送時間との重複を利用者が認識できるため、利用者がオンデマンド型コンテンツの視聴を中断する必要なく放送型コンテンツを見逃すことを防ぐことができる。また、利用者の嗜好に合致したオンデマンド型コンテンツの提供期限日時が迫っている場合にはその旨を利用者に通知することにより、利用者が見逃すことを防ぐことができる。また、利用者の嗜好に合致した放送型コンテンツとオンデマンド型コンテンツを一覧表示することにより、利用者が嗜好に合致したコンテンツを認識しやすくなるとともに、コンテンツ時間の重複についてもより直感的に理解できる。
【産業上の利用可能性】
【００９３】
本発明は、利用者がコンテンツの視聴を中断すること無く放送型コンテンツを見逃さないようにすることが可能となる効果を有し、また、オンデマンド型コンテンツについても利用者が見逃す可能性を低減させることが可能となる効果を有する。本発明は、オンデマンド型コンテンツサービスと放送型コンテンツサービスの双方を利用者に提供するコンテンツ受信再生装置、コンテンツ配信システム、及びコンテンツ情報通知方法等に有用である。
【図面の簡単な説明】
【００９４】
【図１】本発明の第１の実施形態に係るコンテンツ配信システムの構成を示す図
【図２】第１の実施形態に係るコンテンツ受信再生装置の構成を示す図
【図３】第１の実施形態における放送番組表の例を示す図
【図４】第１の実施形態におけるオンデマンドコンテンツ情報の例を示す図
【図５】第１の実施形態における利用者嗜好情報の例を示す図
【図６】第１の実施形態における放送番組表画面の例を示す図
【図７】第１の実施形態におけるオンデマンドコンテンツ選択画面の例を示す図
【図８】第１の実施形態におけるコンテンツ受信再生装置のコンテンツ時間重複判定手段の動作説明のためのフローチャート
【図９】第１の実施形態における重複番組一覧画面の例を示す図
【図１０】本発明の第２の実施形態におけるオンデマンドコンテンツ情報の例を示す図
【図１１】第２の実施形態におけるコンテンツ受信再生装置のコンテンツ時間重複判定手段の動作説明のためのフローチャート
【図１２】第２の実施形態における期限通知一覧画面の例を示す図
【図１３】本発明の第３の実施形態に係るコンテンツ受信再生装置の構成を示す図
【図１４】第３の実施形態におけるコンテンツ受信再生装置のおすすめ一覧画面生成手段の動作説明のためのフローチャート
【図１５】第３の実施形態におけるおすすめ一覧画面の例を示す図
【図１６】第３の実施形態におけるおすすめ一覧画面上の重複番組情報の表示例を示す図
【図１７】従来のコンテンツ時間重複通知方式の処理例を示すフローチャート
【符号の説明】
【００９５】
１０１  コンテンツ配信システム
１０２  コンテンツ受信再生装置
１０３  放送番組送出装置
１０４  放送番組表配信装置
１０５  オンデマンドコンテンツ送出装置
１０６  通信網
１１１  通信手段
１１２  コンテンツ記憶手段
１１３  時計
１１４  放送番組表格納手段
１１５  放送コンテンツ送出制御手段
１２１  通信手段
１２２  放送番組表格納手段
１２３  時計
１２４  放送番組表配信制御手段
１３１  通信手段
１３２  記憶手段
１３３  オンデマンドコンテンツ情報配信手段
１３４  オンデマンドコンテンツ送出制御手段
２０１  通信手段
２０２  オンデマンドコンテンツ情報格納手段
２０３  オンデマンドコンテンツ選択画面生成手段
２０４  オンデマンドコンテンツ再生手段
２０５  放送番組表格納手段
２０６  番組表画面生成手段
２０７  放送コンテンツ選局再生手段
２０８  利用者嗜好記憶手段
２０９  時計
２１０  映像音声出力手段
２１１  操作手段
２１２  コンテンツ時間重複判定手段
２１３  制御手段
１３０１  おすすめ一覧画面生成手段
【図１】
2006303990.tif 000003
【図２】
2006303990.tif 000004
【図３】
2006303990.tif 000005
【図４】
2006303990.tif 000006
【図５】
2006303990.tif 000007
【図６】
2006303990.tif 000008
【図７】
2006303990.tif 000009
【図８】
2006303990.tif 000010
【図９】
2006303990.tif 000011
【図１０】
2006303990.tif 000012
【図１１】
2006303990.tif 000013
【図１２】
2006303990.tif 000014
【図１３】
2006303990.tif 000015
【図１４】
2006303990.tif 000016
【図１５】
2006303990.tif 000017
【図１６】
2006303990.tif 000018
【図１７】
2006303990.tif 000019